(57)【要約】      （修正有）【課題】調律対象となる楽器のキーが何であるか知らなくても、簡単で無理の無い操作でキーシフト機能を実現する。【解決手段】「ド」入力指示スイッチを押すと、「ド」入力状態になり、調律対象の楽器から「ド」の音を調律器に入力すると、調律器は入力された「ド」の音程を自動判別し、キーシフト量を自動で設定する。【選択図】図１
2006220850.tif 000002
【特許請求の範囲】
【請求項１】
楽器の調律に用いる調律器において、
楽器の音を入力する入力部と、
前記入力手段から入力された信号のピッチを抽出するピッチ抽出部と、
「ド」入力状態か通常調律状態かを指示する「ド」入力指示部と、
「ド」入力状態の場合は前記抽出したピッチからキーシフト量を計算するキーシフト量計算部と、
前記計算されたキーシフト量を記憶するシフト量記憶部と、
前記ピッチ抽出手段で抽出されたピッチから音名を判別する音名判別部と、
前期記憶されたキーシフト量からキーシフトするキーシフト部と、
前期抽出されたピッチと前記判別された音名からセント偏差を演算するセント偏差計算部と、
求まった音名、キーシフト、セント偏差を表示制御する表示部と、前記表示部の制御に対応して表示する表示体とからなる調律器。
【請求項２】
「ド」入力状態を指示するための「ド」入力状態指示スイッチを具備する請求項１記載の調律器。
【請求項３】
「ド」入力状態を表示するための「ド」入力状態表示機能を具備する請求項１記載の調律器。
【発明の詳細な説明】
【技術分野】
【０００１】
本発明は、楽器の調律を行なうための調律器に関し、特に調律器のキーシフト設定方法に関する。
【背景技術】
【０００２】
従来のキ−シフト機能付き調律器は、調律する楽器のキーに合ったキーのシフト量をスイッチを使って選択し、楽器の音を入力するとその入力音の音程を判別し、選択されたキーシフト量だけ音程をシフトして表示していた。例えば、キーがＥ♭のアルトサキソフォンで「ド」の音を入力した場合、キーシフト機能の付いていない調律器では「Ｅ♭」又は「Ｄ＃」が表示されるが、キーシフト機能付きの調律器であらかじめキーシフト量をＥ♭（−１音半）に選択しておくと音名は「Ｃ」と表示される。
また、調律対象となる楽器の音を入力中にスイッチを押して発音中の音で調を決定する。（例えば、特許文献１参照。）。
【特許文献１】特開２００２−１０８３３３号公報（０００５、００１０段落）
【発明の開示】
【発明が解決しようとする課題】
【０００３】
従来のキーシフト機能付き調律器では、調律対象となる楽器のキーが何であるかを正確に把握していないと、キーシフト機能の設定が出来ない。また、どのような楽器にも対処するためには、１１種類のキーシフトが選択できるようにしなければならず、キーシフト設定の操作が煩雑になる欠点がある。また、キーシフトを必要とする楽器の大多数は管楽器なので、楽器演奏中は両手がふさがっているため、調律対象の楽器から「ド」に相当する音を入力中にスイッチを押すことは極めて困難である。
【０００４】
本発明は、このような従来のキーシフト機能が有していた課題を解決しようとするものであり、調律対象の楽器のキーが何であるか知らなくても、簡単で無理の無い操作でキーシフト機能を実現できる事を目的とするものである。
【課題を解決するための手段】
【０００５】
本発明は上記目的を達成するために、あらかじめ「ド」の音を入力する状態にした後に、調律対象の楽器から「ド」の音を調律器に入力すると、調律器は入力された「ド」の音程を自動判別し、キーシフト量を計算し自動で設定する。
【０００６】
本発明による調律器は、楽器の音を入力する入力部と、入力手段から入力された信号のピッチを抽出するピッチ抽出部と、ピッチ抽出手段で抽出されたピッチから音名を判別する音名判別部とセント偏差を計算するセント偏差計算部と、調律対象の楽器から「ド」の音を入力するための、「ド」の入力を指示し入力する「ド」入力手段と、「ド」手段で入力された音程からキーシフト量を計算するキーシフト量計算部と、キーシフト量を記憶するキーシフト量記憶手段と、音名判別部で判別された音名からキーシフトするキーシフト計算部と、音名、セント偏差、キーシフト量等を表示する表示部を有する調律器とする。
【０００７】
本発明による調律器は、「ド」の入力を指示するために調律器を「ド」入力状態にし、一定時間内又は「ド」入力状態を解除されるまでに「ド」の音を入力する。
【発明の効果】
【０００８】
本発明の調律器では、あらかじめ「ド」の音を入力する状態にして無理の無い操作で簡単に扱うことができ、調律対象となる楽器のキーを知らなくても「ド」の音を入力すれば調律器がキーシフト量を自動で計算するため、誰でも簡単に使うことが出来る。
【発明を実施するための最良の形態】
【０００９】
以下、本発明の実施形態を図１〜図４に基づいて説明する。
【００１０】
図１は本発明の調律器のブロック図である。入力音１が入力部２に入力され、入力部２の出力がピッチ抽出部３に入力され入力音１のピッチが抽出される、抽出されたピッチは「ド」入力指示部４によって「ド」入力状態の場合はキーシフト量計算部８に入力され、通常の調律状態では音名判断部５に入力されるかを判断される、「ド」入力状態の場合はキーシフト量計算部８でシフト量が計算され、シフト量記憶部９に計算結果が記憶されると同時にシフト量は表示部１０に入力され表示体１１に表示される、通常の調律状態では、前記抽出されたピッチは音名判別部５とセント偏差計算部７に入力され、入力音１の音名が判別される、判別された音名はキーシフト部に入力されシフト量記憶部９に記憶されているシフト量を元にキーをシフトする、シフトした音名は表示部１０に入力され表示体１１に表示される、セント偏差計算部７はピッチ抽出部３で抽出されたピッチと音名判別部５で判別された音名からセント偏差を演算する、セント偏差計算部５で求まったセント偏差は表示部１０に入力され表示体１１表示する。
【００１１】
図２は「ド」入力状態の調律器の状態を示した図である。「ド」入力スイッチ１４を押すと「ド」入力状態に入り、キーシフト量表示部１３の「Ｋｅｙ」が点滅する、音名表示部１２通常調律状態で求まった音名を表示する、セント偏差表示部１５は通常調律状態で求まったセント偏差を表示する。
【００１２】
図３は「ド」入力状態で調律対象の楽器から「ド」の音が入力されてキーシフト量が求まった時の調律器の状態を示した図である。キーシフト量が決定されると、通常の調律モードに戻りキーシフト量表示部１３の「Ｋｅｙ」の点滅が終了する。「ド」入力状態で調律対象の楽器から「ド」の音が入力され、キーシフト量が求まるとキーシフト量表示部１３に求まったキーを表示する。
【００１３】
図４は通常調律状態で調律対象の楽器から被調律音が入力された時の調律器の状態を示した図である。通常調律状態で調律対象の楽器から被調律音が入力されると、シフト量記憶部９にあらかじめ記憶しているキーシフト量を元に被調律音をキーシフト部６で音名をシフトして音名表示部１２にシフトした音名を表示する。
【００１４】
図５に管楽器で良く使われる代表的なキーとキーシフトの関係を示す。キーをＣとした場合は、Ｃ＝ド、Ｄ＝レ、Ｅ＝ミ、Ｆ＝ファ、Ｇ＝ソ、Ａ＝ラ、Ｂ＝シとなる。キーをＥ♭とした場合は、Ｅ♭＝ド、Ｆ＝レ、Ｇ＝ミ、Ａ♭＝ファ、Ｂ♭＝ソ、Ｃ＝ラ、Ｄ＝シとなる。キーをＦとした場合は、Ｆ＝ド、Ｇ＝レ、Ａ＝ミ、Ｂ♭＝ファ、Ｃ＝ソ、Ｄ＝ラ、Ｅ＝シとなる。キーをＢ♭とした場合は、Ｂ♭＝ド、Ｃ＝レ、Ｄ＝ミ、Ｄ＃＝ファ、Ｆ＝ソ、Ｇ＝ラ、Ａ＝シとなる。
【図面の簡単な説明】
【００１５】
【図１】本発明の1実施例の調律器を示すブロック図。
【図２】本発明の1実施例の「ド」入力状態の調律器の状態を示す図。
【図３】本発明の1実施例の「ド」入力状態でキーシフト量が求まった時の調律器の状態を示す図。
【図４】本発明の1実施例の通常調律状態で被調律音が入力された時の調律器の状態を示す図。
【図５】本発明の1実施例の代表的なキーとシフトの関係図。
【符号の説明】
【００１６】
１  入力音
２  入力部
３  ピッチ抽出部
４  「ド」入力指示部
５  音名判断部
６  キーシフト部
７  セント偏差計算部
８  キーシフト量計算部
９  シフト量記憶部
１０  表示部
１１  表示体
１２  音名表示部
１３  キーシフト表示部
１４  「ド」入力状態指示スイッチ
１５  セント偏差表示部
【図３】
2006220850.tif 000003
【図４】
2006220850.tif 000004
【図５】
2006220850.tif 000005
【図１】
2006220850.tif 000006
【図２】
2006220850.tif 000007